(57)【要約】【課題】使用者に長期に渡り使用される起き上がり小法師を提供する。【解決手段】中空の揺動体２と、揺動体２の内部に設置される内部構成手段４と、を備え、内部構成手段４は、揺動体２を揺動させるための第一錘体６と、揺動体２が揺動したときに音を発生させる音発生手段７と、音発生手段７を収納するケース５と、を有し、音発生手段７は、略均等な間隔を隔てて、略同心円上に配置されている振動発音棒７ａ〜７ｇと、それらの振動発音棒よりも半径方向の内側に揺動可能に配置された打撃槌部７ｈとを有する、起き上がり小法師１である。【選択図】図２
2019170788.tif 000002
【特許請求の範囲】
【請求項１】
中空の揺動体と、
前記揺動体の内部に設置される内部構成手段と、を備え、
前記内部構成手段は、
前記揺動体を揺動させるための第一錘体と、
前記揺動体が揺動したときに音を発生させる音発生手段と、
前記音発生手段を収納するケースと、を有し、
前記音発生手段は、略均等な間隔を隔てて、略同心円上に配置されている奇数個の振動発音棒と、それらの前記振動発音棒よりも半径方向の内側に揺動可能に配置された打撃槌部とを有する、
ことを特徴とする起き上がり小法師。
【請求項２】
前記揺動体は、上部揺動体と下部揺動体と、を有し、
前記上部揺動体及び前記下部揺動体は、少なくとも一方又は双方が、透明若しくは半透明の熱可塑性樹脂で形成され、
前記上部揺動体及び前記下部揺動体は、少なくとも一方又は双方が、その内面の少なくとも一部に、第一装飾部が形成されている請求項１に記載の起き上がり小法師。
【請求項３】
前記ケースは、前記上部揺動体に取付けられる、
請求項２に記載の起き上がり小法師。
【請求項４】
前記上部揺動体は、その前記内面に傘部が形成され、
前記ケースは、前記傘部に取付けられる、
請求項３に記載の起き上がり小法師。
【請求項５】
前記傘部は、その上面に第二装飾部が形成されている、
請求項４に記載の起き上がり小法師。
【請求項６】
前記ケースは、その外周面に第三装飾部が形成されている、
請求項１〜請求項５の何れか一項に記載の起き上がり小法師。
【請求項７】
前記内部構成手段は、前記揺動体の揺動を不規則にするための揺動手段を有する、
請求項１〜請求項６の何れか一項に記載の起き上がり小法師。
【請求項８】
揺動手段の具体的な構成
前記揺動手段は、前記揺動体を半径方向の少なくとも一方向に他の径方向と異なる揺動をさせるための、第二錘体を備える、
請求項７に記載の起き上がり小法師。
【請求項９】
前記第二錘体は、前記下部揺動体の前記内面に取付けられている、
請求項８に記載の起き上がり小法師。
【請求項１０】
前記下部揺動体には、庇部が形成され、
前記第二錘部は、前記庇部よりも下側で取付けられている、
請求項９に記載の起き上がり小法師。
【請求項１１】
前記揺動手段は、前記ケースに前記揺動体と異なる揺動をさせるための弾性体を備える、
請求項７〜請求項１０の何れか一項に記載の起き上がり小法師。
【請求項１２】
前記ケースは、前記弾性体を介して、前記揺動体の上部又は下部に取り付けられる、
請求項１１に記載の起き上がり小法師。
【発明の詳細な説明】
【技術分野】
【０００１】
本発明は、起き上がり小法師と称される玩具に関するものである。
【背景技術】
【０００２】
従来から、起き上がり小法師は、主として子供向けの玩具として古くから広く世間に普及している。起き上がり小法師は、一般的に、球体状を呈した中空の玩具本体の外側の面に絵や図形や模様が施されており、卓上に置いて軽く押して手を放すと、何回か半径方向のいずれかの方向に揺動した後、錘体の力で元位置に戻って静止するものである。
【０００３】
起き上がり小法師は、遊戯性を高めるため、様々なものが提案されている。例えば、特許文献１には、内部に音発生装置や錘体を収容させており、揺動した際に音発生装置からカランコロンという様々に音程の異なる音が生じる起き上がり小法師が提案されている。
【先行技術文献】
【特許文献】
【０００４】
【特許文献１】実用新案登録第３１９４７８９
【発明の概要】
【発明が解決しようとする課題】
【０００５】
しかし、音発生装置により音が発生しても、使用していた子供が興味を失って使用を辞めてしまうことがあった。子供向けの玩具として、玩具を子供に買い与える親などに起き上がり小法師を選択してもらうためには、子供にも長期に渡り使用されることが必要となる。
以上より、本発明が解決しようとする課題は、使用者に長期に渡り使用される起き上がり小法師を提供することである。
【課題を解決するための手段】
【０００６】
本発明者は、検討の結果、使用者に長期に渡り使用されるには、揺動の仕方や発生する音の組合せ複雑にすることより遊戯性が高くすることを思い至り、以下の発明をするに至った。
【０００７】
つまり、上記目的を達成するために本発明に係る起き上がり小法師は、中空の揺動体と、前記揺動体の内部に設置される内部構成手段と、を備え、前記内部構成手段は、前記揺動体を揺動させるための第一錘体と、前記揺動体が揺動したときに音を発生させる音発生手段と、前記音発生手段を収納するケースと、を有し、前記音発生手段は、略均等な間隔を隔てて、略同心円上に配置されている奇数個の振動発音棒と、それらの前記振動発音棒よりも半径方向の内側に揺動可能に配置された打撃槌部とを有する、ことを特徴とする。
【０００８】
前記揺動体は、上部揺動体と下部揺動体と、を有し、前記上部揺動体及び前記下部揺動体は、少なくとも一方又は双方が、透明若しくは半透明の熱可塑性樹脂で形成され、前記上部揺動体及び前記下部揺動体は、少なくとも一方又は双方が、その内面の少なくとも一部に、第一装飾部が形成されていることが好ましい。
【０００９】
前記ケースは、前記上部揺動体に取付けられることが好ましい。
【００１０】
前記上部揺動体は、その前記内面に傘部が形成され、前記ケースは、前記傘部に取付けられることが好ましい。
【００１１】
前記傘部は、その上面に第二装飾部が形成されていることが好ましい。
【００１２】
前記ケースは、その外周面に第三装飾部が形成されていることが好ましい。
【００１３】
前記内部構成手段は、前記揺動体の揺動を不規則にするための揺動手段を有することが好ましい。
【００１４】
前記揺動手段は、前記揺動体を半径方向の少なくとも一方向に他の径方向と異なる揺動をさせるための、第二錘体を備えることが好ましい。
【００１５】
前記第二錘体は、前記下部揺動体の前記内面に取付けられていることが好ましい。
【００１６】
前記下部揺動体には、庇部が形成され、前記第二錘部は、前記庇部よりも下側で取付けられていることが好ましい。
【００１７】
前記揺動手段は、前記ケースに前記揺動体と異なる揺動をさせるための弾性体を備えることが好ましい。
【００１８】
前記ケースは、前記弾性体を介して、前記揺動体の上部又は下部に取り付けられることが好ましい。
【発明の効果】
【００１９】
本発明は、以上のように構成したので、使用者に長期に渡り使用される起き上がり小法師を提供することができる。
【図面の簡単な説明】
【００２０】
【図１】本発明に係る起き上がり小法師の第１実施形態の正面図である。
【図２】図１に示した起き上がり小法師の分解斜視図である。
【図３】図１に示した起き上がり小法師の縦断面図である。
【図４】（ａ）〜（ｃ）は、起き上がり小法師の使用状態を説明するための縦断面図である。
【図５】（ａ）は、起き上がり小法師の使用状態を説明するための横断面図であり、（ｂ）及び（ｃ）は、（ａ）の一部拡大図であり、時系列順に並んでいる。
【図６】（ａ）〜（ｃ）は、図１の起き上がり小法師の揺動について説明するための説明図である。
【図７】本発明に係る起き上がり小法師の第２実施形態の正面図である。
【図８】図７に示した起き上がり小法師の縦断面図である。
【発明を実施するための形態】
【００２１】
以下、図面を参照しつつ、本発明に係る起き上がり小法師の第１実施形態について説明する。
【００２２】
〔第１実施形態〕
起き上がり小法師１は、図１に示すように、例えば机などに載置された静止状態で、その上下を貫通する軸方向に直交する半径方向において、３６０°のいずれかの方向に手で押した後に手を離すと、程良い回数だけ半径方向に揺動して、揺動により音を発生させながら自然に揺動幅を減少させて、元の静止状態に戻るものである。
【００２３】
起き上がり小法師１は、図２に示すように、中空の揺動体２と、揺動体２の中空に内部構成手段４と、を有する。
起き上がり小法師１は、揺動を不規則にして、揺動により発生する音の組み合わせを増やすことにより、遊戯性を高められている。
【００２４】
以下に、起き上がり小法師１を構成する各要素について説明する。
なお、本明細書において、静止状態の起き上がり小法師１が載置されている机等と接触する側を軸方向の下側とし、その反対側を軸方向の上側として説明するが、下側と上側は相対的なものである。
【００２５】
＜揺動体２＞
揺動体２は、図１に示すように、略鶏卵状に形成されている。
揺動体２は、図２に示すように、上側に上部揺動体２ａと、下側に上部揺動体２ａと繋がる下部揺動体３ａとを有する。
上部揺動体２ａと下部揺動体３ａは、薄いが自己保形性を有する熱可塑性樹脂製のシートで作られている。
【００２６】
＜上部揺動体２ａ＞
上部揺動体２ａには、図２に示すように、下側に開口部２ｂが形成されている。開口部２ｂの外形は、後述する下部揺動体３ａの差し込み部３ｄの外径よりも僅かに大きい。
上部揺動体２ａは、上部揺動体２ａの内外を貫通する空気流通用の小孔２ｃが形成されている。
上部揺動体２ａの厚さは、下部揺動体３ａよりも薄く形成されている。これにより、起き上がり小法師１を揺動させたときに、揺動体２の内部で音がよく響き、音質の良い音を発することができる。
【００２７】
上部揺動体２ａは、半透明又は透明の熱可塑性樹脂により形成されている。このため、後述する第一装飾部２ｄは、使用者に外部から視認される。
上部揺動体２ａの形成に用いられる熱可塑性樹脂としては、公知のものを適宜用いることができるが、例えば、ＡＢＳ（Ａｃｒｙｌｏｎｉｔｒｉｌｅ  Ｂｕｔａｄｉｅｎｅ  Ｓｔｙｒｅｎｅ）などが挙げられる。
【００２８】
上部揺動体２ａの内面には、図３に示すように、第一装飾部２ｄが形成されている。
第一装飾部２ｄは、上部揺動体２ａの内面に塗料が塗布されて形成されている。
なお、図面において、第一装飾部２ｄについては、後述する第２実施形態の第一装飾部２ｄとの対比のため、ある程度の厚みを持たせて表しているが、実際には、後述する第二装飾部９ｅや第三装飾部９ｆと同様に、薄く形成されていてもよい。
【００２９】
第一装飾部２ｄは、揺動体２の内部が使用者に視認されない程度に形成されている。
第一装飾部２ｄは、上部揺動体２ａの外面を外側から見られるのを想定して施されている。
【００３０】
第一装飾部２ｄは、図３に示すように、上部揺動体２ａの内面に印刷されて形成されていることにより、外部から剥がされない。このため、起き上がり小法師１を長期に渡り使用しても、第一装飾部２ｄが傷つくことによる美感の劣化をふせぐことができる。
【００３１】
なお、第一装飾部２ｄは、上部揺動体２ａの内面に表装シートが貼られて形成されていてもよい。また、図３に示す第一装飾部２ｄは、使用する対象として乳児や幼児を想定したものであるが、これに限定されず、他の絵図等でもよい。さらに、表装シートは、半透明でもよい。この場合は、上部揺動体２ａの内面の全てに貼られても、揺動体２の内部が視認できる。
【００３２】
＜下部揺動体３ａ＞
下部揺動体３ａの上側には、図２に示すように、上側に開口部３ｂを有している。開口部３ｂには、半径方向の内側に伸びる庇部３ｃが形成されている。
庇部３ｃが形成されていることにより、上部揺動体２ａから揺動体２の内部が視認可能であっても、使用者が視認する角度によっては、後述する揺動手段８の第二錘体８ａが使用者から視認できないようにすることができる。
【００３３】
下部揺動体３ａは、図３に示すように、上側の外周が少し小径に形成されて、上部揺動体２ａに嵌め込まれる差し込み部３ｄが形成されている。
差し込み部３ｄには、下部揺動体３ａの内外を貫通する吹き孔３ｅが形成されている。
吹き孔３ｅは、後述するように下部揺動体３ａをブロー成形により成形する際に、金型の内部に気体を吹き込んだときに形成されるものである。
吹き孔３ｅが差し込み部３ｄに形成されていることにより、上部揺動体２ａの開口部２ｂに下部揺動体３ａの差し込み部３ｄを嵌め込むと、吹き孔３ｅが外部から視認されなくすることができる。
【００３４】
下部揺動体３ａの下側には、図３に示すように、揺動体２が安定して起立するように、底部に平面３ｆが形成されている。
平面３ｆは、その面積が小さ過ぎないことから静止状態において揺動体２が安定して起立させることができ、かつ、その面積が大き過ぎないことから揺動してから静止状態に戻るまで所望の時間を確保できるように形成されている。
【００３５】
下部揺動体３ａは、図２に示すように、ほぼ真球体を半分にした形状であるが、この形状に限られず、机などの上に載置したときに、起き上がり小法師１が揺動可能になる形状であれば足り、起き上がり小法師が表現するキャラクターに応じて、所望の形状に形成することが可能である。例えば、下部揺動体３ａは、真球体を半分にした形状に形成されていてもよく、反対に、より緩やかな湾曲形状に形成していてもよい。
【００３６】
下部揺動体３ａの厚さは、図３に示すように、上部揺動体２ａよりも厚く形成されている。これにより、下部揺動体３ａが上部揺動体２ａと同じ厚さの場合に比べて、起き上がり小法師１の製造作業を行い易くすることができる。
【００３７】
下部揺動体３ａは、色を有する熱可塑性樹脂により形成されている。そのため、外部から下部揺動体３ａを見ても、揺動体２の内部を視認することはできない。下部揺動体３ａの形成に用いられる熱可塑性樹脂としては、公知のものを適宜用いることができるが、例えば、ＡＢＳやＰＰ（Ｐｏｌｙｅｐｒｏｐｙｌｅｎｅ）樹脂などが挙げられる。
【００３８】
以上のように構成される揺動体２は、図３に示すように、上部揺動体２ａの開口部２ｂに下部揺動体３ａの差し込み部３ｄを嵌め込んだ上で、嵌め込んだことにより形成された重合部分が接着剤で接着される。これより、図１に示すように、略鶏卵状に形成されている。
【００３９】
＜内部構成手段４＞
内部構成手段４は、起き上がり小法師１を揺動させ、さらに揺動させたときに、音を発生させるためのものである。
内部構成手段４は、図２に示すように、円筒状のケース５と、ケース５の内部に取付けられた第一錘体６と、ケース体４の内部で第一錘体６よりも上側に取り付けられた音発生手段７と、ケース５の揺動を不規則にするための揺動手段８と、を有する。
【００４０】
＜ケース５＞
ケース５は、図２に示すように、上端から下端が略同じ直径の円筒状の本体５ａと、本体５ａの下側の開口部に取付けられた下蓋５ｂと、本体５ａの上側の開口部に取付けられた上蓋５ｃとを有する。
【００４１】
本体５ａは、その内径が、第一錘体６の外径と同じか、僅かに小さい。これにより、第一錘体６を本体５ａに中間ばめの状態で係合させることができる。そして、本体５ａと第一錘体６の重合部分が接着剤により接着される。これにより、図３に示すように、ケース５の内部に第一錘体６を設置させることができる。そして、ケース５を下部揺動体３ａに設置することにより、第一錘体６と音発生手段７を揺動体２の内部に設置することができる。
本体５ａは、厚紙により形成されているが、軽い素材であれば、例えば合成樹脂などで形成されていてもよい。
【００４２】
下蓋５ｂは、図２及び図３に示すように、円板状の底部と底部の周縁から上側に立ち上がる側壁とを有する。
下蓋５ｂは、本体５ａの下側の開口部を塞ぐように取り付けたときに、環状の側壁の内周面が、本体５ａの下端の外周面と当接するように形成されている。具体的には、下蓋５ｂの環状の側壁の内径は、本体５ａの外径よりも僅かに大きい。これにより、第一錘体６が本体５ａに中間ばめの状態で係合されて、本体５ａの第一錘体６と当接している箇所が外側に少し膨らんでいても、下蓋５ｂを本体５ａに取り付けることができる。
【００４３】
下蓋５ｂの底部は、図３に示すように、後述する第一錘体６と当接する。
第一錘体６が載置された下蓋５ｂは、その側壁の内周面が本体５ａに当接された状態で、その重合部分が接着剤で接着される。なお、下蓋５ｂは本体５ａに圧入により取付けられるように形成されていてもよい。
【００４４】
上蓋５ｃは、図２及び図３に示すように、円板状の底部と底部の周縁から下側に立ち上がる側壁とを有する。
上蓋５ｃは、本体５ａの上側の開口部を塞ぐように取り付けたときに、側壁の内周面が、本体５ａの上端の外周面と接触するように形成されている。
【００４５】
上蓋５ｃの底部の下面中央部には、図２に示すように、後述する音発生手段７を構成する打撃槌部７ｈを吊り下げるための吊り紐７ｉが取付けられる、吊下げ部材５ｄが設けられている。
吊下げ部材５ｄは、回転したり揺動したりしないように、その基端が上蓋５ｃに固定されている。これにより、吊下げ部材５ｄが回転や動くことにより、音質が変化するのを防ぐことができる。
【００４６】
吊下げ部材５ｄの先端には、吊り紐７ｉを挿通するための環状の挿通孔５ｅが形成されている。
挿通孔５ｅの内径は、吊り紐７ｉの直径よりも大きい。このため、揺動体２が揺動した際に、その揺動により吊り紐７ｉを揺動させることができる。
【００４７】
吊り紐７ｉを介して打撃槌部７ｈが取り付けられた上蓋５ｃは、その側壁の内周面が本体５ａに当接された状態で、その重合部分が接着剤で接着される。なお、上蓋５ｃは本体５ａに圧入により取付けられるように形成されていてもよい。
【００４８】
以上のように構成されるケース５は、図３に示すように、下蓋５ｂと上蓋５ｃの中心を通る中心軸が、揺動体２を上下に貫通する中心軸と一致するように、揺動体２の内部に設置される。
【００４９】
＜第一錘体６＞
第一錘体６は、揺動体２を繰り返し揺動させるためのものである。
第一錘体６は、金属製であり、図２に示すように、リング状に形成されている。
第一錘体６は、上面の周縁部に、後述する振動発音棒７ａ〜７ｇの下端が挿入される挿入穴６ａが、所定の間隔を隔てて環状に、振動発音棒の数だけ形成されている。つまり、第一錘体６は、振動発音棒７ａ〜７ｇの安定保持部材としての機能も有する。このように、第一錘体６に、安定保持部材としての機能と振動伝達部材としての機能を持たせることにより、部品点数を減らすことができ、製造コストを抑えることができる。
【００５０】
第一錘体６は、図３に示すように、ケース５の内部で、下面が下蓋５ｂと接触して、側周面が本体５ａと接触するように取り付けられる。このように、第一錘体６は、第一錘体６に設置された振動発音棒７ａ〜７ｇの振動をケース５に伝達する振動伝達部材としての機能も有する。
【００５１】
＜音発生手段７＞
音発生手段７は、起き上がり小法師１が揺動したときに、音を発生させるためのものである。
音発生手段７は、図２に示すように、環状に配置される振動発音棒７ａ〜７ｇと、振動発音棒７ａ〜７ｇよりも半径方向の内側に揺動可能に配置された打撃槌部７ｈと、打撃槌部７ｈをケース５の内部に吊り下げるための吊り紐７ｉとを有する。
【００５２】
振動発音棒７ａ〜７ｇは、図２に示すように、それぞれの長さが異なっている。具体的には、本実施形態では、振動発音棒７ａが一番長く形成され、振動発音棒７ｇが一番短く形成され、振動発音棒７ａから振動発音棒７ｇまで、これらの７つの振動発音棒の長さが次第に短くなるように形成されている。
振動発音棒７ａ〜７ｇは、振動発音棒７ａから順に、振動発音棒７ｇまで、時計回りに配置されている。
振動発音棒７ａ〜７ｇは、ケース５の内部で、下端が第一錘体６に形成された挿入穴６ａに挿入されて固定されている。
【００５３】
振動発音棒７ａ〜７ｇは、図５（ａ）に示すように、ケース５の内部で、均等な間隔を隔てて、同心円上に配置されている。換言すると、振動発音棒７ａ〜７ｇは、正七角形又は略正七角形の各頂点上に配置されている。このため、図５（ａ）に示すように、振動発音棒７ａ〜７ｇが配置されている同心円の中心点Ｃ１を通る半径方向の直線Ｌの上において、１つの振動発音棒のみ配置されている。これにより、起き上がり小法師１は、使用されるごとに、異なる音の組合せを発生させることができる。
【００５４】
具体的には、後述する打撃槌部７ｈは、揺動体２が揺動したときに、その揺動した方向に移動して、図５（ｂ）に示すように、打撃槌部７ｈの中心点Ｃ２と、当接した振動発音棒が同一の直線Ｌの上にある場合には、図５（ｃ）に示すように、振動発音棒に当たった打撃槌部７ｈは、移動してきた軌道を反復するようにして、その反対側に移動することがある。このため、同一の直線Ｌの上に、２つの振動発音棒が配置されている場合には、対向する２つの振動発音棒に交互に当たることになる場合があるが、これ防止することができるので、異なる音の組合せを発生させることができる。
【００５５】
打撃槌部７ｈは、ケース５が揺動した際に、振動発音棒７ａ〜７ｇに当たり音を発生させるためのものである。
打撃槌部７ｈは、金属製であり、図２に示すように、円盤状に形成されている。
打撃槌部７ｈの上面には、吊り紐７ｉの一端が取付けられている。
打撃槌部７ｈは、半径方向において、３６０°のいずれの方向にも揺動可能に吊り紐７ｉに吊下げられている。
【００５６】
吊り紐７ｉは、打撃槌部７ｈが、吊下げ部材５ｄを介してケース５の上蓋５ｃに揺動可能に取付けられるためのものである。
吊り紐７ｉは、図２に示すように、一方が打撃槌部７ｈに固定されている。そして、他方は、その端付近が折り曲げられて折り曲げ部が形成され、その折り曲げ部が上蓋５ｃに設けられた吊下げ部材５ｄの挿通部５ｅに貫通されていることにより、図３に示すように、上蓋５ｃに吊り下げられている。
【００５７】
吊り紐７ｉの長さは、起き上がり小法師１を揺動させたときに、心地よい音が発生するように、音発生手段７ａ〜７ｇと打撃槌部７ｈが、軸方向の所望の位置で接触できる長さとなっている。そして、吊り紐７ｉは、金属製であり、打撃槌部７ｈが揺動したときに撓むことがないので、打撃槌部７ｈを音発生手段７ａ〜７ｇと軸方向の所望の位置で接触させることができる。
【００５８】
以上のように構成される音発生手段７により、起き上がり小法師１の揺動時に、打撃槌部７ｈは、揺動体２の揺動方向により振動発音棒７ａ〜７ｇの何れかに当たる。そして、静止状態になるまで、所定の大きさで揺動体２が揺動するごとに、振動発音棒７ａ〜７ｇの何れかに打撃槌部７ｈが当たることにより、様々な音の組合せを生じさせる。
【００５９】
＜揺動手段８＞
揺動手段８は、起き上がり小法師１を、揺動体２の内部に第一錘体６だけが配置されているときと比べて、ケース５に不規則な揺動をさせるためのものである。
揺動手段８は、図３に示すように、下部揺動体３ａの平面３ｆとケース５の下蓋５ｂの底部に挟まった状態で配置される弾性体８ｂと、下部揺動体３ａの内側の側面に取付けられる第二錘体８ａとを有する。
【００６０】
＜第二錘体８ａ＞
第二錘体８ａは、図３に示すように、下部揺動体３ａの内側の側面に取付けられる。これにより、第二錘体８ａは、第二錘体８ａが設けられていない場合に比べて、揺動体２に不規則的な揺動をさせる。つまり、図６に示すように、半径方向の何れの方向から揺動体２に働く力Ｆ２と、半径方向の内側から第二錘体８ａが取付けられている側に傾こうとする力Ｆ１の関係により、その揺動の程度が異なる。
なお、図６は、起き上がり小法師１の使用時の揺動の程度が異なることを明確に示すため、実際よりも揺動の程度を極端に示している。
【００６１】
具体的には、図６に示すように、起き上がり小法師１には、重力により、半径方向の内側から第二錘体８ａが取付けられている側に傾こうとする力Ｆ１が働いている。
そして、力Ｆ１の方向に対する力Ｆ２の角度θが大きいほど、力Ｆ１と力Ｆ２の合力Ｆ３が小さくなるので、起き上がり小法師１の揺動の程度が小さくなる。
【００６２】
例えば、図６（ａ）に示すように、力Ｆ２の向きが力Ｆ１とは正反対の場合には、角度θが１８０°と最も大きくなる。そして、この場合の、合力Ｆ３は、力Ｆ２と力Ｆ１の差分であり、最も小さくなる。よって、揺動の程度が小さくなる。
この場合の力Ｆ３の向きは、力Ｆ２の向きと略同じになる。
【００６３】
また、図６（ｂ）に示すように、角度θが鈍角の場合には、角度θが１８０°の時に比べて、合力Ｆ３が大きくなり、揺動の程度は大きくなる。
そして、力Ｆ２と合力Ｆ３の方向が異なるので、実際に揺動体２が傾く方向が異なる。
【００６４】
さらに、図６（ｃ）に示すように、角度θが鋭角の場合には、角度θが鈍角の時に比べて、合力Ｆ３が大きくなり、揺動の程度は大きくなる。
そして、力Ｆ２と合力Ｆ３の方向が異なるので、実際に揺動体２が傾く方向が異なる。
【００６５】
このように、第二錘体８ａが取り付けられていることにより、力Ｆ２の方向によって、その揺動の程度が異なる。つまり、揺動体２を径方向の少なくとも一方向に他の径方向と異なる揺動をさせる。また、押した方向と異なる方向に揺動するので、揺動体２は、不規則に揺動することになる。
【００６６】
第二錘体８ａは、起き上がり小法師１が静止状態において所望の起き上がった状態が維持される程度の質量で形成されている。第二錘体８ａは、図３に示すように、たとえば粘着テープ８ｃなどで下部揺動体３ａに取り付けられる。
【００６７】
＜弾性体８ｂ＞
弾性体８ｂは、静止状態において起き上がり小法師１が起き上がった状態を維持できるが、起き上がり小法師１が揺動するとケース５の動きにより僅かに撓む程度の硬度を有する。弾性体８ｂは、例えば合成樹脂により形成されている。
【００６８】
弾性体８ｂの大きさは、ケース５の大きさにより適宜変更されるものであるが、一例として挙げると、弾性体８ｂの軸方向の厚さは、ケース５の軸方向の厚さが１６０〜１９０ｍｍの場合に、１５〜２５ｍｍである。また、直径は、ケース５の本体５ａの直径と略等しいか、等しい。
【００６９】
弾性体８ｂは、揺動体２とは半径方向に異なる方向にケース５を揺動させる。つまり、弾性体８ｂは、揺動体２が半径方向のいずれかの方向に押されることにより揺動して、ケース５も同様に揺動しようとするときに、ケース５の質量により半径方向の何れかの方向に撓む。これにより、ケース５が揺動体２とは異なる方向に揺動する。
【００７０】
以上のように構成される揺動手段８により、ケース５は、使用時に、不規則な揺動をするようになる。具体的には、起き上がり小法師１の使用時に、揺動体２は、下部揺動体３ａに取付けられた第二錘体８ａにより、不規則的な揺動になり、揺動体２に取り付けられたケース５も、不規則な揺動になる。さらに、弾性体８ｂにより、ケース５はさらに不規則的な揺動をすることになる。このため、起き上がり小法師１を同じように使用しても、異なる音の組合せを生じさせる。
【００７１】
＜起き上がり小法師１により奏される効果＞
次に起き上がり小法師１により奏される効果について説明する。
振動発音棒７ａ〜７ｇは、図５（ａ）に示すように、ケース５の内部で、均等な間隔を隔てて、同心円上に配置されている。換言すると、振動発音棒７ａ〜７ｇは、正七角形又は略正七角形の各頂点上に配置されている。このため、図５（ａ）に示すように、振動発音棒７ａ〜７ｇが配置されている同心円の中心点Ｃ１を通る半径方向の直線Ｌの上において、１つの振動発音棒のみ配置されている。これにより、起き上がり小法師１は、使用されるごとに、異なる音の組合せを発生させることができる。
【００７２】
具体的には、起き上がり小法師１は、使用者により押されると、図４（ｂ）に示すように、押された方向へ揺動した後に、第一錘体６により元の位置に戻り、図４（ｃ）に示すように、更にその反動により反対へ揺動する。打撃槌部７ｈは、揺動体２が揺動したときに、その揺動した方向に移動して、図５（ｂ）に示すように、打撃槌部７ｈの中心点Ｃ２と、当接した振動発音棒が同一の直線Ｌの上にある場合には、図５（ｃ）に示すように、振動発音棒に当たった打撃槌部７ｈは、移動してきた軌道を反復するようにして、その反対側に移動することがある。このため、同一の直線Ｌの上に、２つの振動発音棒が配置されている場合には、対向する２つの振動発音棒に交互に当たる場合がある。しかし、直線Ｌの上において、１つの振動発音棒のみ配置されているので、２つの振動発音棒に交互に当たることを防止でき、異なる音の組合せを発生させることができる。
【００７３】
起き上がり小法師１は、上部揺動体２ａは、半透明又は透明の熱可塑性樹脂により形成されており、上部揺動体２ａの内面に塗布された顔料により、第一装飾部２ｄが形成されている。これにより、使用者は、第一装飾部２ｄを外部から視認することができる。そして、第一装飾部２ｄが上部揺動体２ａにより、外部から接触できないようになっているので、第一装飾部２ｄが傷つくことによる美感の劣化を防ぐことができる。
【００７４】
また、起き上がり小法師１は、図３に示すように、揺動手段８を構成する第二錘体８ａを有する。第二錘体８ａを有することにより、第二錘体８ａが取り付けられている側の半径方向への揺動は、その他の半径方向への揺動と程度が異なる。そのため、起き上がり小法師１は、第二錘体８ａが設けられていない場合の規則的な揺動と比べて、不規則的な揺動をすることができる。それにより、ケース５を不規則に揺動させることができる。
【００７５】
さらに、起き上がり小法師１は、図３に示すように、揺動手段８を構成する弾性体８ｂを有する。弾性体８ｂは、揺動体２が半径方向のいずれかの方向に押されることにより揺動して、ケース５も同様に揺動しようとするときに、ケース５の質量により半径方向の何れかの方向に撓む。これにより、ケース５が揺動体２とは異なる方向に揺動させることができる。
【００７６】
さらにまた、起き上がり小法師１は、弾性体８ｂと第二錘体８ａの相乗効果により、使用時のケース５の揺動を、より不規則なものにすることができる。
そして、ケース５が揺動体２と異なる揺動をすることにより、起き上がり小法師１を同じように使用しても、使用するたびに、振動発音棒７ａ〜７ｇのうち、最初に当接した振動発音棒の後に、それ以降どの振動発音棒にどのような順番で当接するかは異なるので、異なる音の組合せを生じさせることができる。このため、使用者は、使用するたびに異なる音の組合せを聞くことができ、起き上がり小法師１の揺動の仕方も従来のものとは異なるので、遊戯性に優れており、使用者は、長期に渡り起き上がり小法師１を楽しむことができる。
【００７７】
＜起き上がり小法師１の製造方法＞
次に、起き上がり小法師１の製造方法について説明する。
起き上がり小法師１の製造方法は、上部揺動体２ａと下部揺動体３ａの成型工程、内部構成手段４の設置工程、及び起き上がり小法師１の形成工程を含む。以下に、各工程について説明する。
なお、以下に説明する起き上がり小法師１の製造方法は、一例であり、これに限定されない。また、既にケース５の内に第一錘体６と音発生手段７を設置してあるものとする。
【００７８】
＜上部揺動体２ａと下部揺動体３ａの成型工程＞
最初に、上部揺動体２ａと下部揺動体３ａの成型工程について説明する。
上部揺動体２ａは、真空成形により製造する。
具体的には、シート状に形成されたＡＢＳ樹脂を、プレスで打ち抜き円板を形成させる。そして、形成させた円板の面のうち、成型したときに裏面になる側の面に、表装シートを貼り付ける。表装シートを貼り付けた円板を、真空成形型を用いて上部揺動体２ａを作製する。
【００７９】
下部揺動体３ａは、ブロー成形により製造する。
具体的には、押し出し機で押し出された可塑化したＰＰ樹脂からなる円筒状のパリソンを、一対の割り金型の間に挟み、この挟み込んだパリソンに気体を吹き込み、割り金型の内で膨らませて、割り金型の内側に押し当てて容器に成形する。
【００８０】
上部揺動体２ａとしては真空成形で製造した肉薄のものを用い、下部半球体としてはブロー成形で製造した上部半球体より肉厚のものを用いることにより、後述する内部構成手段４の設置工程、及び揺動体２の形成工程を行い易くすると同時に、音の伝達が阻害されるのを軽減することができ、音の改善を図ることができる。
【００８１】
＜内部構成手段４の設置工程＞
次に、内部構成手段４の設置工程について説明する。
本工程は、揺動手段８を下部揺動体３ａに取り付ける工程と、音発生手段７を下部揺動体３ａに取り付ける工程とを有する。
最初に、揺動手段８を下部揺動体３ａに取り付ける工程について説明する。
まず、弾性体８ｂを下部揺動体３ａの平面３ｆの上面に接着剤などを用いて取付ける。
次に、下部揺動体３ａの内面の吹き孔３ｅの近傍に、粘着テープ８ｃを用いて第二錘体８ａを取り付ける。粘着テープ８ｃは、吹き孔３ｅを塞ぐように下部揺動体３ａの内面に張り付けられる。これにより、吹き孔３ｅを塞ぐ行為と、第二錘体８ａを取り付ける行為を同時に行うことができるため、作業工程を減らすことができ、作業効率を向上させることがきる。また、第二錘体８ａを取り付ける位置を、吹き孔３ｅの近傍と決めることにより、第二錘体８ａを取り付ける位置を製造者が迷うことがない。このため、第二錘体８ａを取り付ける工程を効率良く行うことができる。
なお、上述した、弾性体８ｂを取り付ける工程と、第二錘体８ａを取り付ける工程は、どちらを先に行ってもよく、別々に行ってもよい。
【００８２】
次に、音発生手段７を下部揺動体３ａに取り付ける工程について説明する。この工程において、音発生手段７が設置されたケース５の下蓋５ｂを、弾性体８ｂに接着剤などを用いて取付ける。これにより、第一錘体６と、音発生手段７を揺動体２の中に設置することができる。
【００８３】
＜起き上がり小法師１の形成工程＞
次に、起き上がり小法師１の形成工程について説明する。
本工程において、上述する内部構成手段４の設置工程により、音発生手段７と揺動手段８が取り付けられた下部揺動体３ａを、上部揺動体２ａに嵌める。
具体的には、上部揺動体２ａの開口部２ｂに下部揺動体３ａの差し込み部３ｄを嵌め込んだ上で、嵌め込んだことにより形成された重合部分を接着剤で接着する。これにより、揺動体２が形成され、起き上がり小法師１が完成する。
【００８４】
＜起き上がり小法師１の使用状態＞
次に起き上がり小法師１の使用状態について説明する。
まず、揺動手段８を有しない以外は、起き上がり小法師１と同じ構成の起き上がり小法師を例に挙げて、起き上がり小法師の基本的な使用状態について説明し、その後に、起き上がり小法師１の使用状態について説明する。
【００８５】
起き上がり小法師１は、図４（ａ）に示すように、使用を開始するまでは、静止状態において起き上がり小法師１の起き上がった状態（元の位置）が維持されている。
起き上がり小法師１を使用する際には、図４（ａ）に示すように、起き上がり小法師１を机やテーブルの上に置き、半径方向の３６０°いずれかの方向に使用者が手で押してから、その手を離す。
【００８６】
起き上がり小法師は、使用者に押されると、図４（ｂ）に示すように、押された方向へ揺動する。
そして、起き上がり小法師は、第一錘体６により元の位置に戻り、図４（ｃ）に示すように、揺動手段８を有しない場合には、更にその反動により元の位置を通過して反対側へ揺動して、第一錘体６により元の位置に戻る。このため、打撃槌部７ｈは、振動発音棒７ａ〜７ｇのうち、押された側に配置された振動発音棒と、その反対側の振動発音棒に交互に当たる。そして、起き上がり小法師は、この規則的な動作を数回繰り返した後、元の位置で停止する。
【００８７】
本実施形態の起き上がり小法師１も、上述した起き上がり小法師と同様に、押された方向へ揺動した後に、第一錘体６により元の位置に戻り、更にその反動により元の位置を通過して反対側へ揺動しようとする。しかし、第二錘体８ａが取り付けられている側に僅かに傾くこと、揺動体２の中に設置されたケース５が弾性体８ｂにより揺動体２と異なる揺動をすることにより、ケース５が不規則に揺動する。このため、打撃槌部７ｈは、振動発音棒７ａ〜７ｇのうち、最初に当接した振動発音棒の後に、それ以降どの振動発音棒にどのような順番で当接するかが、使用するたびに異なる。つまり、起き上がり小法師１を使用するごとに、異なる音の組合せが生じる。そして、起き上がり小法師１は、この不規則的な動作を数回繰り返した後、元の位置で停止する。
【００８８】
〔第２実施形態〕
次に、本発明の起き上がり小法師の第２実施形態について説明する。なお、第１実施形態と同じ構成要素については、同じ符号を付してその説明を省略する。
【００８９】
本実施形態の起き上がり小法師９は、使用者が揺動体２の内側を外部から視認可能に形成されている。本実施形態の起き上がり小法師９には、揺動手段８が設けられていない。
【００９０】
＜揺動体９ａ＞
起き上がり小法師９の揺動体９ａは、図７に示すように、第１実施形態の起き上がり小法師１の揺動体２と同様に、上部揺動体９ｂと下部揺動体９ｃとを有する。しかし、揺動体２が略鶏卵状に形成されているのに対し、揺動体９ａは、略球状に形成されている。つまり、上部揺動体９ｂと、下部揺動体９ｃは、半球状に形成されている。
【００９１】
＜上部揺動体９ｂ＞
上部揺動体９ｂは、上部揺動体２ａと同様に、半透明又は透明の熱可塑性樹脂により形成されている。
上部揺動体９ｂは、上部揺動体２ａと同様に、内面に塗料が塗布されて第一装飾部２ｄが形成されているが、図７に示すように、上部揺動体２ａと異なり、その内面の一部にのみ形成されている。このため、つまり、外部から上部揺動体９ｂを視認すると、揺動体２の内部を視認することができる。具体的には、上部揺動体９ｂの外部から、後述する第二装飾部９ｅや第三装飾部９ｆを視認することができる。
【００９２】
上部揺動体９ｂには、図７に示すように、上部揺動体２ａと異なり、頂上付近に傘部９ｄが設けられている。
傘部９ｄの上側の面には、第二装飾部９ｅが形成されている。第二装飾部９ｅは、外部から傘部９ｄの上面が視認されることを想定して施されている。
第二装飾部９ｅには、第一装飾部２ｄと同じモチーフの絵図が施されている。
【００９３】
傘部９ｄの下側の面には、図７に示すように、ケース５が固定されている。ケース５は、直接、傘部９ｄに固定されている。傘部９ｄの下にケース５が固定されていることにより、ケース５の上蓋５ｃが固定されている状態が外部から視認し難くなっている。このため、起き上がり小法師９は、ケース５が外部から視認できる状態でも、美感を維持できる。
【００９４】
＜下部揺動体９ｃ＞
下部揺動体９ｃは、上部揺動体９ｂと同様に、透明に形成されており、その内面の一部には、図６に示すように、第一装飾部２ｄが形成されている。下部揺動体９ｃに形成された第一装飾部２ｄも、上部揺動体９ｂに形成された第一装飾部２ｄと同様に、その外面を外側から見られるのを想定して施されている。
【００９５】
本実施形態では、下部揺動体９ｃも、上部揺動体２ａと同様に、真空成形により製造される。そのため、差し込み部３ｆには、図７に示すように、下部揺動体３ａの内外を貫通する吹き孔３ｅが形成されていない。また、開口部３ｂには、庇部３ｃが形成されていない。
【００９６】
下部揺動体９ｃは、図７に示すように、下部揺動体３ａが上部揺動体２ａよりも厚く形成されているのと異なり、上部揺動体９ｂと同じ厚さか、略同じ厚さで形成されている。下部揺動体９ｃが上部揺動体９ｂより厚く形成されている場合に比べて、起き上がり小法師１を揺動させたときに、揺動体２の内部で音がよく響き、音質の良い音を発することができる。
【００９７】
＜ケース５＞
ケース５は、図７に示すように、本体５ａの外周面に、本体５ａ第三装飾部９ｆを有する。第三装飾部９ｆは、外部から本体５ａの外周面が視認されることを想定して施されている。
第三装飾部９ｆには、第一装飾部２ｄと同じモチーフの絵図が施されている。
ケース５の下蓋５ｂと下部揺動体９ｃの間には、隙間が形成されているが、ケース５の下蓋５ｂが下部揺動体９ｃと接触していてもよい。
【００９８】
＜起き上がり小法師９により奏される効果＞
本実施形態によれば、図７に示すように、傘部９ｄにより、ケース５を揺動体２の内部に固定した場合に、その固定した箇所が使用者から見えないようにすることができる。このため、揺動体２の内部が見えるようにしていても、美感に優れている。また、第一装飾部２ｄだけでなく、第二装飾部９ｅと第三装飾部９ｆが形成されていることにより、それぞれの装飾部の絵図の組合せ等により、使用者により強い興味を与えることができ、遊戯性を高めることができる。
【００９９】
これまで、第１実施形態と第２実施形態を挙げて本発明を説明したが、本発明はこれらに限定されない。例えば、第１実施形態では、揺動手段８として、弾性体８ｂと第二錘体８ａの両方を有しているが、本発明はこれに限定されない。弾性体８ｂと第二錘体８ａのどちらか一方のみを有する場合であっても、ケース５の揺動を不規則にでき、本発明の起き上がり小法師の遊戯性を高めることができる。
【０１００】
また、第一実施形態において、第二錘体８ａは、一つだけ下部揺動体３ａに取り付けられていたが、本発明は、これに限定されない。例えば、１２０°おきに３つ取付けてもよく、９０°おきに４つ取付けてもよい。また、複数設ける場合に、質量のそれぞれ異なる第二錘体８ａを用いてもよい。
【０１０１】
さらに、第一実施形態において、振動発音棒７ａ〜７ｇは、振動発音棒７ａから順に、振動発音棒７ｇまで、時計回りに配置されているが、本発明はこれに限定されない。振動発音棒７ａ〜７ｇが反時計回りに配置されていてもよい。
【０１０２】
また、第一実施形態において、７個の振動発音棒が用いられているが、本発明はこれに限定されない。振動発音棒の数が奇数となるのであれば、７個より少なくてもよく、また、７個より多くてもよい。
【０１０３】
第２実施形態において、揺動手段８は、揺動体２に取り付けられていなかったが、本発明はこれに限定されない。第２実施形態のように、揺動体の内部が外部から視認できる場合であっても、揺動手段８を取り付けることができる。第２実施形態において、ケース５は、第１実施形態と異なり、弾性体８ｂを介して、上部揺動体９ｂａの傘部９ｄに取付けられる。これにより、使用者は、ケース５の不規則な揺動を外部から見ることができるので、より遊戯性を高めることができる。
【０１０４】
また、第２実施形態において、ケース５は、上部揺動体９ｂａの傘部９ｄに取付けられるが、傘部９ｄが形成されておらず、ケース５の上蓋５ｃが上部揺動体９ｂａに直接取り付けられてもよい。この場合は、上蓋５ｃの底部の上面に、装飾部が形成されていてもよい。
【０１０５】
さらに、第２実施形態のように、揺動体の内部を外部から視認できる場合には、下部揺動体の内面を外側から見られるのを想定して装飾部が形成されていてもよい。例えば、下部揺動体が、下部揺動体３ａと同様に、色を有する熱可塑性樹脂により形成されて、下部揺動体３ａを通して内部が視認できない場合には、下部揺動体の外側の面に第一装飾部２ｄを形成させ、さらに、内側の面にも装飾部を形成させることができる。
【０１０６】
さらにまた、第２実施形態において、第二装飾部９ｅと第三装飾部９ｆに、第一装飾部２ｄと同じモチーフの図絵が施されているが、本発明はこれに限定されない。複数の装飾部のそれぞれに、物語性のある絵図を施してもよい。例えば、昔話の「桃太郎」を表現するものとして、第三装飾部９ｆに桃の絵が施され、下部揺動体９ｃの第一装飾部２ｄに桃が流れる川の絵が施され、上部揺動体９ｂの第一装飾部２ｄに桃を拾おうとするお婆さんの絵が施され、第三装飾部９ｆに「ももたろう」という文字とともに、桃太郎が犬、雉、猿をお供に連れているという特徴的な場面の絵を施したものが挙げられる。これにより、使用者が興味を持って長期に使用してくれることもある。
【０１０７】
また、第２実施形態において、第一装飾部２ｄ、第二装飾部９ｅ、及び第三装飾部９ｆが形成されているが、本発明はこれに限定されない。例えば、第一装飾部２ｄと第二装飾部９ｅのみ形成させることや、第一装飾部２ｄと第三装飾部９ｆのみ形成させることもできる。
【０１０８】
また、第１実施形態と第２実施形態において、上部揺動体の開口部に差し込み部がはまり込む構造となっているが、本発明はこの雄雌構造は限定されない。揺動体は、上部揺動体と下部揺動体の互いの開口部の一方を他方の開口部へ嵌入させて重ね合わせた上で、その重合部分を接着剤で接着することができる。
【産業上の利用可能性】
【０１０９】
本発明は、以上のように構成したので、使用者に長期に渡り使用される起き上がり小法師を提供することを可能にする。
【符号の説明】
【０１１０】
１          起き上がり小法師
２          揺動体
２ａ        上部揺動体
２ｂ        開口部
２ｃ        小孔
２ｄ        第一装飾部
３ａ        下部揺動体
３ｂ        開口部
３ｃ        庇部
３ｄ        差し込み部
３ｅ        吹き孔
３ｆ        平面
４          内部構成手段
５          ケース
５ａ        本体
５ｂ        下蓋
５ｃ        上蓋
５ｄ        吊下げ部材
５ｅ        挿通孔
６          第一錘体
６ａ        挿入穴
７          音発生手段
７ａ〜７ｇ  振動発音棒
７ｈ        打撃槌部
７ｉ        吊り紐
８          揺動手段
８ａ        第二錘体
８ｂ        弾性体
８ｃ        粘着テープ
９          起き上がり小法師
９ａ        揺動体
９ｂ        上部揺動体
９ｃ        下部揺動体
９ｄ        傘部
９ｅ        第二装飾部
９ｆ        第三装飾部
【図１】
2019170788.tif 000003
【図２】
2019170788.tif 000004
【図３】
2019170788.tif 000005
【図４】
2019170788.tif 000006
【図５】
2019170788.tif 000007
【図６】
2019170788.tif 000008
【図７】
2019170788.tif 000009
【図８】
2019170788.tif 000010